(57)【要約】      （修正有）【課題】ビール等の発泡性飲料など、容器に注がれた際に発生する泡による被覆保護が美味しさ維持に有効である飲料を、最後まで香味を保ったまま飲むことができる飲用容器を提供する。【解決手段】ジョッキ１にビールＢを注ぎ、ビールＢの上部に泡Ｋの層が形成されるようにする。そして、取っ手７を握り、ジョッキ１を持ち上げて、飲み口１５に口を付けてビールＢを飲む。本体３を傾けると、底部１３付近のビールＢが連通管９の下端側開口から流入して上端側開口から流出する。従って、本体３に収用されたビールＢを下層から飲むことができ、最後まで泡Ｋが消失してしまうことはない。よって、ビールを最後まで香味を保ったまま飲むことが可能となる。【選択図】図１
0003169840.tif 000002
【実用新案登録請求の範囲】
【請求項１】
底部と上面開口を有する容器状の本体と、前記本体の内周面に固定され、上端部が前記上面開口の近傍まで延び下端部が前記底部の僅かに手前まで延びる連通管とから成ることを特徴とする飲用容器。
【請求項２】
請求項１に記載した飲用容器において、連通管は上端側開口の面積より下端側開口の面積が大きくなるように形成されていることを特徴とする飲用容器。
【請求項３】
請求項１または２に記載した飲用容器において、連通管の上端部には前記連通管の径寸法より広がる飲口が接続されていることを特徴とする飲用容器。
【請求項４】
請求項１から３のいずれかに記載した飲用容器において、本体に取り付けると上面開口を閉鎖する蓋を備え、前記蓋には本体に取り付けると連通管に連通する接続穴が形成されていることを特徴とする飲用容器。
【請求項５】
請求項４に記載した飲用容器において、接続穴の周囲には凹状の飲口が形成されていることを特徴とする飲用容器。
【考案の詳細な説明】
【技術分野】
【０００１】
本考案はジョッキ等の飲用容器に係り、特にビールその他の発泡性飲料など、容器に注がれた際に発生する泡による被覆保護が美味しさ維持に有効である飲料を飲む際に用いる飲用容器に関するものである。
【背景技術】
【０００２】
例えば、ビアガーデンでは大容量のジョッキにビールを入れて提供される。ジョッキはかなりの容量があり、当然ながらビールも大量に収容されているため、これを飲み終わるまでにはある程度の時間がかかる。
ところで、サーバー等からジョッキにビールを注ぎ入れる際には、その香味を保つために意図的に泡を上部に発生させる。つまり泡の層がビールの一時的な被覆手段となって香味が損なわれるのを防止する。
【０００３】
しかし、その泡も時間の経過とともに空気に触れて消失していくものであり、さらに、飲用するときには泡を多く含んだビールがジョッキから出ていくため、泡は飲み始めてから早い段階で消失してしまうことになる。
【０００４】
そこで、従来は持続性の高い泡を形成するための注ぎ方を工夫するなどの手段が採られていた。また、特許文献１に示す、泡を形成しやすくするための用具がある。この技術は、有底の円筒の底に開口部を設け、内面に微小なサンドペーパー状突起を設けたビール及び発泡酒用具であり、この用具をコップに先に入れた状態でビール等を注げば、ビール等が微少な突起に当たることで泡が細分化し、きめ細かくクリーミーな消えにくい泡を形成できる、とするものである。
【先行技術文献】
【特許文献】
【０００５】
【特許文献１】特開２０００−６０７１０号公報
【考案の概要】
【考案が解決しようとする課題】
【０００６】
しかしながら、上記従来のビール及び発泡酒用具は泡の保持時間をある程度延長させることはできても、飲用するごとに泡を多く含んだビールがジョッキから出ていくため、飲用が進むにしたがって泡が消失してしまい、飲み終えるまでの間にビールの香味が損なわれてしまうことになる。
【０００７】
本考案は上記従来の問題点に着目してなされたものであり、ビール等の発泡性飲料など、容器に注がれた際に発生する泡による被覆保護が美味しさ維持に有効である飲料を、最後まで香味を保ったまま飲むことができる飲用容器の提供を、その目的とする。
【課題を解決するための手段】
【０００８】
本考案は上記課題を解決するためになされたものであり、請求項１の考案は、底部と上面開口を有する容器状の本体と、前記本体の内周面に固定され、上端部が前記上面開口の近傍まで延び下端部が前記底部の僅かに手前まで延びる連通管とから成ることを特徴とする飲用容器である。
【０００９】
請求項２の考案は、請求項１に記載した飲用容器において、連通管は上端側開口の面積より下端側開口の面積が大きくなるように形成されていることを特徴とする飲用容器である。
【００１０】
請求項３の考案は、請求項１または２に記載した飲用容器において、連通管の上端部には前記連通管の径寸法より広がる飲口が接続されていることを特徴とする飲用容器である。
【００１１】
請求項４の考案は、請求項１から３のいずれかに記載した飲用容器において、本体に取り付けると上面開口を閉鎖する蓋を備え、前記蓋には本体に取り付けると連通管に連通する接続穴が形成されていることを特徴とする飲用容器である。
【００１２】
請求項５の考案は、請求項４に記載した飲用容器において、接続穴の周囲には凹状の飲口が形成されていることを特徴とする飲用容器である。
【考案の効果】
【００１３】
本考案の飲用容器によれば、本体に収用されたビール等の発泡性飲料を下層から飲むことができ、飲み終わるまで泡が消失してしまうことはない。よって、泡による被覆保護が持続してビールの香味を維持し、最後まで美味しく飲むことが可能となる。
【図面の簡単な説明】
【００１４】
【図１】本考案の実施の形態１に係るジョッキの斜視図である。
【図２】図１のＡ−Ａ断面図である。
【図３】ジョッキを傾けビールが連通管を介して流出する状態を説明するための断面図である。
【図４】本考案の実施の形態２に係るジョッキの斜視図である。
【図５】図４のジョッキの本体の平面図である。
【図６】図４のジョッキの本体に蓋を取り付ける方法を説明するための平面図である。
【図７】図４のジョッキの本体に蓋を取り付ける方法を説明するための平面図である。
【図８】本考案の実施の形態３に係るジョッキの斜視図である。
【図９】図８のジョッキのＢ−Ｂ断面図である。
【図１０】図８のジョッキの平面図である。
【考案を実施するための形態】
【００１５】
本考案の実施の形態１に係る飲用容器としてのジョッキ１を図１から図３にしたがって説明する。
符号３は本体を示し、この本体３は有底のほぼ円筒状で上面開口５を有している。また、本体３には取っ手７が設けられている。
【００１６】
符号９は連通管を示し、この連通管９は本体３の内周面１１に固定されている。連通管９の上端部は上面開口５の近傍まで延びている。ここで近傍とは上面開口５から僅かに低い位置から上面開口５と同じ高さ位置をいう。連通管９の下端部は底部１３の僅かに手前まで延びている。
また、連通管９の上端部には、連通管９の径寸法より広がる飲み口１５が設けられている。この飲み口１５は連通管９と本体３の内周面１１の上端部に固定されている。
【００１７】
次に、このジョッキ１の使用方法について説明する。
図２に示すようにジョッキ１にビールＢを注ぎ、ビールＢの上部に泡Ｋの層が形成されるようにする。そして、取っ手７を握り、ジョッキ１を持ち上げて、飲み口１５に口を付け、ジョッキ１を傾けてビールＢを飲む。
【００１８】
ジョッキ１（本体３）を傾けると、図３に示すように底部１３付近のビールＢが矢印で示すように連通管９の下端側開口から流入して上端側開口から流出する。従って、本体３に収用されたビールＢを下層から飲むことができ、飲み終わるまで泡Ｋが消失してしまうことはない。よって、泡Ｋによる被覆保護が持続してビールの香味を維持し、最後までビールＢを美味しく飲むことが可能となる。
【００１９】
本考案の実施の形態２に係る飲用容器としてのジョッキ２１を図４から図７にしたがって説明する。
ジョッキ２１は実施の形態１に係るジョッキ１と同様の構成部分を有するので、同様の構成部分については実施の形態１と同じ符号を付して、その説明を省略し、また実施の形態２の説明において同じ符号を引用する。このことは実施の形態３についても適用する。
【００２０】
符号２３は本体を示し、この本体２３の上端面には一対の設置凹部２５、２７が形成されている。設置凹部２５、２７は上面と内周面が開放されており、底面２５ａ、２７ａを有している。
設置凹部２５、２７の図５において時計回り方向側の内側面２５ｂ、２７ｂには嵌合凹部２９、３１がそれぞれ形成されており、これらの嵌合凹部２９、３１は時計回りの方向へいくに従って先細りとなる形状に形成されている。嵌合凹部２９、３１の内周面（本体２３の外周側の面）２９ｂ、３１ｂは円弧状の面に形成されている。また、嵌合凹部２９、３１の底面２９ａ、３１ａは設置凹部２５、２７の底面２５ａ、２７ａと同じ高さとなっており、連続している。
【００２１】
符号３３は蓋を示し、この蓋３３はほぼ円盤形で本体２３の上面開口５を閉鎖する大きさに形成されている。蓋３３の外周面には一対の嵌合凸部３５、３７が形成されている。これらの嵌合凸部３５、３７は、嵌合凹部２９、３１に対応して時計回りの方向へいくに従って先細りとなる形状に形成され、その外周面３５ｂ、３７ｂは円弧状の面に形成されている。
【００２２】
また、蓋３３の上面には一対の指掛け凹部３９、４１が形成されており、指掛け凹部３９、４１は互いに間隔を開けて配置されている。指掛け凹部３９、４１は円形で指先が入る程度の大きさに形成されている。
蓋３３の中心には小径の空気抜き穴４３は形成されている。蓋３３の縁部には接続穴４５が形成されている。この接続穴の４５の周囲には接続穴４５に向かって傾斜する浅い凹部から成る飲み口４７が形成されている。
【００２３】
次に、このジョッキ２１の使用方法について説明する。
蓋３３を外した状態で、本体２３にビールを注いで、蓋３３で上面開口５を閉鎖する。蓋３３を取り付けるには、指掛け凹部３９、４１に指を入れて、蓋３３を持ち上げる。
【００２４】
そして、図６に示すように蓋３３の嵌合凸部３５、３７を本体２３の設置凹部２５、２７にそれぞれ入れて、嵌合凸部３５、３７を設置凹部２５、２７の底面２５ａ、２７ａに載置する。次いで、矢印で示すように蓋３３を時計回りの方向へ回動させて、図７に示すように、嵌合凸部３５、３７を嵌合凹部２９、３１に嵌め込む。前述のように嵌合凸部３５、３７は、嵌合凹部２９、３１に対応して時計回りの方向へいくに従って先細りとなる形状に形成され、その外周面３５ｂ、３７ｂは円弧状の面に形成されているので、外周面３５ｂ、３７ｂが嵌合凹部２９、３１の内周面２９ｂ、３１ｂに摺接し、嵌合凸部３５、３７を嵌合凹部２９、３１にスムーズに嵌め込むことができる。
嵌合凸部３５、３７を嵌合凹部２９、３１に嵌め込んだ状態では、蓋３３が上面開口５を覆った状態で本体２３に固定され、また接続穴４５が連通管９に接続され連通する。
【００２５】
そして、蓋３３の飲み口４７に口を付けてビールＢを飲む。本体２３が傾くと、実施の形態１のジョッキ１と同様に底部１３付近のビール連通管９の下端側開口から流入して上端側開口から流出する。従って、本体２３に収用されたビールＢを下層から飲むことができる。しかも、上面開口５が蓋３３に覆われているので、ビールＢが冷えた状態をより長く保つことができる。従って、冷たいビールを最後まで香味を保ったまま、美味しく飲むことが可能となる。
なお、蓋３３には空気抜き穴４３が形成されているので、蓋３３が本体２３の上面開口５を覆った状態でも、本体２３内のビールＢが連通管９、接続穴４５を介してからスムーズに流出する。
【００２６】
本考案の実施の形態３に係る飲用容器としてのジョッキ５１を図８から図１０にしたがって説明する。
ジョッキ５１は連通管５３を除き、実施の形態１に係るジョッキ１と同様の構成なので、連通管５３の構造についてのみ説明する。
連通管５３は下方へいくに従って径寸法が徐々に大きくなるように形成されている。従って、本体３内のビールＢを飲むためにジョッキ５１を傾けた際に、連通管５３の下端側開口からビールＢが流入し易くなる。特に、本体３内のビールＢが残り少なくなっても、本体３内のビールＢを連通管５３へ確実に流入させることができる。
【００２７】
以上、本考案の実施の形態について詳述してきたが、具体的構成は、この実施の形態に限られるものではなく、本考案の要旨を逸脱しない範囲における設計の変更などがあっても考案に含まれる。
例えば、実施の形態２に係るジョッキ２１に実施の形態３に係るジョッキ５１の連通管５３を適用してもよい。即ち、下方へいくに従って径寸法が徐々に大きくなっている連通管５３を備えた蓋３３付きのジョッキとしてもよい。
また、飲み口を設けない構成とすることも可能である。
更に、上記実施の形態は本考案をジョッキに適用したが、ジョッキに限らず、取っ手を有さないコップ、グラス等に適用してもよい。すなわち、飲用容器であれば如何なるものあっても適用することができる。
実施の形態２に係るジョッキ２１において、蓋３３を時計回りの方向へ回動させて本体２３に取り付ける構成としたが、本考案はこれに限定されず、蓋を反時計回りの方向へ回動させて本体に取り付ける構成としてもよい。
【産業上の利用可能性】
【００２８】
本考案のジョッキは飲用容器等の食器製造業において利用可能性を有する。
【符号の説明】
【００２９】
１…ジョッキ      ３…本体      ５…本体の上面開口
７…取っ手      ９…連通管      １１…本体の内周面
１３…底部        １５…飲み口
２１…ジョッキ        ２３…本体      ２５、２７…設置凹部
２５ａ、２７ａ…設置凹部の底面
２５ｂ、２７ｂ…設置凹部の時計回り方向側の内側面
２９、３１…嵌合凹部      ２９ａ、３１ａ…嵌合凹部の底面
２９ｂ、３１ｂ…嵌合凹部の内周面（本体の外周側の面）
３３…蓋      ３５、３７…嵌合凸部
３５ｂ、３７ｂ…嵌合凸部の外周面      ３９、４１…指掛け凹部
４３…空気抜き穴      ４５…接続穴      ４７…飲み口
５１…ジョッキ      ５３…連通管
【図１】
0003169840.tif 000003
【図２】
0003169840.tif 000004
【図３】
0003169840.tif 000005
【図４】
0003169840.tif 000006
【図５】
0003169840.tif 000007
【図６】
0003169840.tif 000008
【図７】
0003169840.tif 000009
【図８】
0003169840.tif 000010
【図９】
0003169840.tif 000011
【図１０】
0003169840.tif 000012